(57)【要約】  【課題】  マトリクス状の接続回路において、ＬＥＤへの逆電圧を緩和させることで、ＬＥＤの長寿命化を図ることを目的とする。  【解決手段】  少なくとも第１のＬＥＤ、第２のＬＥＤ、電源、該電源と前記第１のＬＥＤとを繋ぐ第１のドライブ回路、前記電源と前記第２のＬＥＤとを繋ぐ第２のドライブ回路、及び前記第１のＬＥＤと前記第２のＬＥＤに共通する接地側ドライブ回路とを備えるＬＥＤ駆動回路であって、前記第１のドライブ回路がオフで、かつ、前記第２のドライブ回路がオンのときに、前記第１のＬＥＤに該第１のＬＥＤの動作電圧より小さい電圧の第１の補償電圧が印加されており、前記第２のドライブ回路がオフで、かつ、前記第１のドライブ回路がオンのときに、前記第２のＬＥＤに該第２のＬＥＤの動作電圧より小さい電圧の第２の補償電圧が印加されている、ことを特徴とするＬＥＤ駆動回路である。  【選択図】  図１
2006258959.tif 000002
【特許請求の範囲】
【請求項１】
少なくとも第１のＬＥＤ、第２のＬＥＤ、電源、該電源と前記第１のＬＥＤとを繋ぐ第１のドライブ回路、前記電源と前記第２のＬＥＤとを繋ぐ第２のドライブ回路、及び前記第１のＬＥＤと前記第２のＬＥＤに共通する接地側ドライブ回路とを備えるＬＥＤ駆動回路であって、
前記第１のドライブ回路がオフで、かつ、前記第２のドライブ回路がオンのときに、前記第１のＬＥＤに該第１のＬＥＤの動作電圧より小さい電圧の第１の補償電圧が印加されており、
前記第２のドライブ回路がオフで、かつ、前記第１のドライブ回路がオンのときに、前記第２のＬＥＤに該第２のＬＥＤの動作電圧より小さい電圧の第２の補償電圧が印加されている、
ことを特徴とするＬＥＤ駆動回路。
【請求項２】
前記ＬＥＤ駆動回路において、前記第１のＬＥＤにかかる逆電圧と前記第１の補償電圧との差の電圧値が、前記第１のＬＥＤの動作電圧値よりも小さい値であり、前記第２のＬＥＤにかかる逆電圧と前記第２の補償電圧との差の電圧値が、前記第２のＬＥＤの動作電圧値よりも小さい値であり、ことを特徴とする請求項１に記載のＬＥＤ駆動回路。
【請求項３】
少なくとも第１のＬＥＤ、第２のＬＥＤ、第３のＬＥＤ、電源、該電源と前記第１のＬＥＤとを繋ぐ第１のドライブ回路、前記電源と前記第２のＬＥＤとを繋ぐ第２のドライブ回路、前記電源と前記第３のＬＥＤとを繋ぐ第３のドライブ回路、及び前記第１のＬＥＤと前記第２のＬＥＤと前記第３のＬＥＤとに共通する接地側ドライブ回路とを備えるＬＥＤ駆動回路であって、
前記第１のドライブ回路がオフで、かつ、前記第２のドライブ回路及び前記第３のドライブ回路の少なくとも１つがオンのときに、前記第１のＬＥＤに第１の補償電圧が印加されており、
前記第２のドライブ回路がオフで、かつ、前記第１のドライブ回路及び前記第３のドライブ回路の少なくとも１つがオンのときに、前記第２のＬＥＤに第２の補償電圧が印加されており、
前記第３のドライブ回路がオフで、かつ、前記第１のドライブ回路及び前記第２のドライブ回路の少なくとも１つがオンのときに、前記第３のＬＥＤに第３の補償電圧が印加されている、
ことを特徴とするＬＥＤ駆動回路。
【請求項４】
前記第１のＬＥＤ及び前記第２のＬＥＤが、ＧａＮ系化合物半導体からなる、ことを特徴とする請求項１〜３に記載のＬＥＤ駆動回路。
【請求項５】
前記第１の補償電圧、前記第２の補償電圧又は前記第３の補償電圧の値は、２．０Ｖ〜２．８Ｖである、ことを特徴とする請求項１〜４に記載のＬＥＤ駆動回路。
【発明の詳細な説明】
【技術分野】
【０００１】
本発明はＬＥＤ駆動回路に関する。詳しくは、ディスプレイなどに使用され、マトリクス状に接続されるＬＥＤを駆動するための回路に関する。
【背景技術】
【０００２】
近年、ディスプレイの光源として、高輝度、長寿命等の利点からＬＥＤが使用されている。ディスプレイを構成する赤色、緑色、青色等のＬＥＤはマトリクス状に接続され、時分割制御により各ＬＥＤの発光を制御し、映像を提供している。
【発明の開示】
【発明が解決しようとする課題】
【０００３】
ディスプレイを構成するＬＥＤの中でも青色ＬＥＤ又は緑色ＬＥＤは、ＧａＮ系化合物半導体からなるため動作電圧が高く、発光のため電圧を印加した場合、マトリクス状接続の回路構成の問題から他のＬＥＤに逆電圧がかかり、負担となる。その結果、他のＬＥＤが劣化する恐れがある。
そこで、本発明はマトリクス状の接続回路において、他のＬＥＤへの逆電圧を緩和させ、ＬＥＤの長寿命化を図ることを目的とする。
【課題を解決するための手段】
【０００４】
本発明は以上の目的を達成するために、次の構成からなる。即ち、
少なくとも第１のＬＥＤ、第２のＬＥＤ、電源、該電源と前記第１のＬＥＤとを繋ぐ第１のドライブ回路、前記電源と前記第２のＬＥＤとを繋ぐ第２のドライブ回路、及び前記第１のＬＥＤと前記第２のＬＥＤに共通する接地側ドライブ回路とを備えるＬＥＤ駆動回路であって、前記第１のドライブ回路がオフで、かつ、前記第２のドライブ回路がオンのときに、前記第１のＬＥＤに該第１のＬＥＤの動作電圧より小さい電圧の第１の補償電圧が印加されており、前記第２のドライブ回路がオフで、かつ、前記第１のドライブ回路がオンのときに、前記第２のＬＥＤに該第２のＬＥＤの動作電圧より小さい電圧の第２の補償電圧が印加されている、ことを特徴とするＬＥＤ駆動回路である。
【発明の効果】
【０００５】
上記構成により、発光を目的として第１のドライブ回路をオンとし、第１のＬＥＤに印加された電圧により、第２のＬＥＤに逆電圧がかかったとき、第２のＬＥＤには順方向に電圧が印加されている状態となる。すなわち、逆電圧を打ち消す方向に順方向電圧が印加されることになる。この順方向電圧は第２のＬＥＤの動作電圧以下であるため、発光することはない。したがって、第２のＬＥＤに動作電圧以下の順方向電圧を印加することで、第２のＬＥＤの発光を行わずに逆電圧を緩和し、負担を軽減することができる。よって、ＬＥＤの長寿命化が可能となる。
【発明を実施するための最良の形態】
【０００６】
以下、本発明におけるＬＥＤ駆動回路の構成要素について詳細に説明する。
（第１のＬＥＤ、第２のＬＥＤ、第３のＬＥＤ）
第１のＬＥＤ、第２のＬＥＤ又は第３のＬＥＤはディスプレイを構成するＬＥＤであり、青色ＬＥＤ，緑色ＬＥＤ、赤色ＬＥＤを使用する。各ＬＥＤは電源側から電圧が供給されて動作する。青色ＬＥＤ及び緑色ＬＥＤは、ＧａＮ系化合物半導体からなり、動作電圧は３．０〜３．５Ｖである。赤色ＬＥＤは、ＧａＡｓ系又はＧａＰ系化合物半導体からなり、動作電圧は１．８〜２．５Ｖである。
各ＬＥＤはマトリクス状に接続されており、各ＬＥＤの発光はＦＥＴやトランジスタなどのスイッチング素子により制御される。ディスプレイ上では青色、緑色又は赤色のＬＥＤは所定の順序で配置されており、スイッチング回路を時分割で制御することで、ディスプレイ上に映像を提供することとなる。
【０００７】
（第１のドライブ回路、第２のドライブ回路、第３のドライブ回路、接地側ドライブ回路）
第１のドライブ回路、第２のドライブ回路又は第３のドライブ回路は、電源と第１のＬＥＤ、第２のＬＥＤ又第３のＬＥＤとの間に接続され、各ＬＥＤを制御する。各ドライブ回路の構成は特に限定されないが、例えば、ＦＥＴ又はトランジスタなどのスイッチング素子を使用する。
各ＬＥＤはマトリクス状に接続されており、第１のドライブ回路、第２のドライブ回路又は第３のドライブ回路を時分割で制御することにより、各ＬＥＤの発光を制御する。
【０００８】
接地側ドライブ回路は、各ＬＥＤのカソード側に接続され、第１のドライブ回路、第２のドライブ回路又は第３のドライブ回路とともに各ＬＥＤの発光を制御する。接地側ドライブ回路の構成も特に限定されないが、例えば、ＦＥＴ又はトランジスタなどのスイッチング素子を使用する。また、定電流回路を使用することもできる。
第１のドライブ回路と接地側ドライブ回路とがともにオン状態のときに、電源から第１のドライブ回路、第１のＬＥＤ、接地側ドライブ回路、接地へと電流が流れ、第１のＬＥＤが発光する。同様に、第２のドライブ回路又は第３のドライブ回路と接地側ドライブ回路とがともにオン状態のときに第２のＬＥＤ又は第３のＬＥＤが発光する。
一方、第1のドライブ回路がオンで、接地側ドライブ回路がオフのときは第1のＬＥＤ-接地間に電流が流れないため、第1のＬＥＤは発光しない。このため、電源から第1のＬＥＤに印加される電圧は第２のＬＥＤの逆電圧となる。
図４は従来のＬＥＤ駆動回路２００の回路図である。ＦＥＴ３aがオンで、トランジスタ５aがオフの場合、接続点Ａ１には電源２から５Ｖがそのまま印加されることとなる。これが直接ＬＥＤ４bの逆電圧となり、ＬＥＤ４bに負担をかけることとなる。
【０００９】
(第１の補償電圧、第２の補償電圧、第３の補償電圧)
第１の補償電圧、第２の補償電圧又は第３の補償電圧は、ＬＥＤにかかる逆電圧を緩和するためにＬＥＤの動作電圧よりも低い順方向電圧を印加する。動作電圧よりも低い順方向電圧を印加することで、ＬＥＤを発光させることなく、逆電圧を緩和させることができる。
各補償電圧を印加するタイミングは特に制限がない。そのため、電圧を常時印加するか又は少なくとも一つのドライブ回路がオンのときに他のオフのドライブ回路に接続されているＬＥＤに補償電圧を印加してもよい。
第１の補償電圧、第２の補償電圧又は第３の補償電圧の各電源（電圧源）は、別途電源を設けてもよいし、ＬＥＤを駆動するために使用される電源を流用してもよい。
【００１０】
図１を用いて、接地側ドライブ回路に接続されるＬＥＤが２つの場合のＬＥＤに補償電圧を印加した場合における逆電圧の緩和作用について説明する。
第1のドライブ回路（ＦＥＴ３a）がオンで、接地側ドライブ回路(トランジスタ５a)がオフの場合（第１のＬＥＤ（ＬＥＤ４a）が発光しない場合）、接続点Ａ１には供給電圧（５Ｖ）がそのまま印加され、第２のＬＥＤ(ＬＥＤ４b)の逆電圧となる。ここで、第２の補償電圧（２．５Ｖ）が第２のＬＥＤに対して動作電圧以下の順方向電圧として印加されると、第２のＬＥＤを発光させることなく逆電圧を緩和できる。同様に、第２のドライブ回路がオンで、かつ接地側ドライブ回路オフの場合も、第1のＬＥＤにかかる逆電圧が緩和される。
一方、第１のドライブ回路がオンで、かつ接地側ドライブ回路がオンの場合（第1のＬＥＤが発光する場合）、接続点Ａ１には供給電圧から第1のＬＥＤの動作電圧を差し引いた電圧がかかる。この電圧は、第２のＬＥＤに対して逆電圧として印加されることとなる。ここで、第２の補償電圧が第２のＬＥＤに対して動作電圧以下の順方向電圧として印加されると、第２のＬＥＤを発光させることなく逆電圧を緩和できる。同様に、第２のドライブ回路がオンで、かつ接地側ドライブ回路がオンの場合も、第1のＬＥＤにかかる逆電圧が緩和される。
これは、第１のＬＥＤにかかる逆電圧と第１の補償電圧との差の電圧値が、第１のＬＥＤの動作電圧値よりも小さい値である場合、又は第２のＬＥＤにかかる逆電圧と第２の補償電圧との差の電圧値が、第２のＬＥＤの動作電圧値よりも小さい値である場合には、ＬＥＤを発光させることなく、逆電圧を緩和させることを意味する。
【００１１】
具体的には、ＬＥＤ駆動回路で使用されるＬＥＤの動作電圧は、青色ＬＥＤ又は緑色ＬＥＤでは３．０Ｖ〜３．５Ｖであり、ＬＥＤに供給される電源電圧は５Ｖである。この場合の補償電圧は２．０Ｖ〜２．８Ｖを使用する。
第１のドライブ回路がオンで、かつ接地側ドライブ回路がオフの場合（第1のＬＥＤが発光しない場合）は、接続点Ａ１から第２のＬＥＤに逆電圧として５Ｖが印加されるが、第２のＬＥＤには補償電圧２．０Ｖ〜２．８Ｖが順方向で印加されるため、５Ｖから２．０Ｖ〜２．８Ｖを差し引いた電圧２．２Ｖ〜３．０Ｖが逆電圧として第２のＬＥＤにかかることとなる。なお、通常ＬＥＤの耐逆電圧の定格値は５Ｖ程度であり、逆電圧が半分程度に緩和されることとなる。
一方、第1のドライブ回路がオンで、かつ接地側ドライブ回路がオンの場合（第１のＬＥＤが発光する場合）は、接続点Ａ１から第２のＬＥＤにかかる逆電圧は次のとおりとなる。
電源から５Ｖが供給されるが、ＬＥＤの動作電圧として３．０〜３．５Ｖが印加されるため、接続点Ａ１における逆電圧は１．５Ｖ〜２．０Ｖとなる。ところが、第２のＬＥＤには補償電圧として順方向電圧が２．０Ｖ〜２．８Ｖ印加されるため、第２のＬＥＤに印加される逆電圧は、（１．５Ｖ〜２．０Ｖ）−（２．０Ｖ〜２．８Ｖ）となる。すなわち、第２のＬＥＤに対する逆電圧は緩和又は解消されることとなる。
【００１２】
また、ＬＥＤ駆動回路で使用されるＬＥＤが赤色ＬＥＤである場合、その動作電圧は約２.０Ｖであり、ＬＥＤに供給される電源電圧は４．５Ｖである。この場合の補償電圧は２．０Ｖ〜２．８Ｖを使用する。
第１のドライブ回路がオンで、かつ接地側ドライブ回路がオフの場合（第1のＬＥＤが発光しない場合）は、接続点Ａ１から第２のＬＥＤに逆電圧として４．５Ｖが印加されるが、第２のＬＥＤには補償電圧２．０Ｖ〜２．８Ｖが順方向で印加されるため、４．５Ｖから２．０Ｖ〜２．８Ｖを差し引いた電圧１．７Ｖ〜２．５Ｖが逆電圧として第２のＬＥＤにかかることとなる。すなわち、逆電圧は緩和されることとなる。
一方、第1のドライブ回路がオンで、かつ接地側ドライブ回路がオンの場合（第１のＬＥＤが発光する場合）は、接続点Ａ１から第２のＬＥＤにかかる逆電圧は次のとおりとなる。
電源から４．５Ｖが供給されるが、第１のＬＥＤの動作電圧として２Ｖが印加されるため、接続点Ａ１における逆電圧は２．５Ｖとなる。ところが、第２のＬＥＤには補償電圧として順方向電圧が２．０Ｖ〜２．８Ｖが印加されるため、第２のＬＥＤに印加される逆電圧は、２．５Ｖ−（２．０Ｖ〜２．８Ｖ）となる。すなわち、逆電圧は緩和又は解消されることとなる。
【００１３】
次に、図３を用いて、接地側ドライブ回路に接続されるＬＥＤが３つの場合で、ＬＥＤに補償電圧を印加した場合における逆電圧の緩和作用について説明する。
１つのドライブ回路がオンの場合で、残りのドライブ回路がオフの場合の逆電圧の緩和作用は次のようになる。例えば、第１のドライブ回路（ＦＥＴ３a）がオン、接地側ドライブ回路（トランジスタ５a）がオンで第１のＬＥＤ（ＬＥＤ４a）が発光し、第２のドライブ回路（ＦＥＴ３b）及び第３のドライブ回路（ＦＥＴ３x）がオフの場合は、第２のＬＥＤ（ＬＥＤ４b）、第３のＬＥＤ（ＬＥＤ４x）に対して逆方向の電圧が印加される。そこで、第２のＬＥＤ（ＬＥＤ４b）、第３のＬＥＤ（ＬＥＤ４x）に電源６b及び電源６xよりＬＥＤの動作電圧よりも低い順方向電圧を印加し、逆電圧を緩和する。
第１のドライブ回路（ＦＥＴ３a）がオン、接地側ドライブ回路（トランジスタ５a）がオフで第１のＬＥＤ（ＬＥＤ４a）が発光しないで、第２のドライブ回路（ＦＥＴ３b）及び第３のドライブ回路（ＦＥＴ３x）がオフの場合も、第２のＬＥＤ（ＬＥＤ４b）、第３のＬＥＤ（ＬＥＤ４x）に対して逆電圧が印加される。そこで、第２のＬＥＤ（ＬＥＤ４b）、第３のＬＥＤ（ＬＥＤ４x）に電源６b及び電源６xよりＬＥＤの動作電圧よりも低い順方向電圧を印加し、逆電圧を緩和する。
【００１４】
２つのドライブ回路がオンの場合で残りのドライブ回路がオフの場合の逆電圧の緩和作用は次のようになる。例えば、第１のドライブ回路（ＦＥＴ３a）及び第２のドライブ回路（ＦＥＴ３b）がオン、接地側ドライブ回路（トランジスタ５a）がオンで第１のＬＥＤ（ＬＥＤ４a）及び第２のＬＥＤ（ＬＥＤ４b）が発光し、第３のドライブ回路（ＦＥＴ３x）がオフの場合は、第３のＬＥＤ（ＬＥＤ４x）に対して逆電圧が印加される。そこで、第３のＬＥＤ（ＬＥＤ４x）には電源６xより第３のＬＥＤ（ＬＥＤ４x）の動作電圧よりも低い順方向電圧を印加し、逆電圧を緩和する。
第１のドライブ回路（ＦＥＴ３a）及び第２のドライブ回路（ＦＥＴ３b）がオン、接地側ドライブ回路（トランジスタ５a）がオフで第１のＬＥＤ（ＬＥＤ４a）及び第２のＬＥＤ（ＬＥＤ４b）が発光しないで、第３のドライブ回路（ＦＥＴ３x）がオフの場合も、第３のＬＥＤ（ＬＥＤ４x）に対して逆電圧が印加される。そこで、第３のＬＥＤ（ＬＥＤ４x）には電源６xより第３のドライブ回路（ＬＥＤ４x）の動作電圧よりも低い順方向電圧を印加し、逆電圧を緩和する。
【実施例１】
【００１５】
図１に本発明の実施例であるディスプレイに使用されるＬＥＤ駆動回路１の回路図を示す。ＬＥＤ駆動回路１は、電源２に対して、ＬＥＤ４（ＬＥＤ４a、ＬＥＤ４b、ＬＥＤ４c、ＬＥＤ４dを指す。以下同じ。）を制御するためのＦＥＴ３（ＦＥＴ３a、ＦＥＴ３bを指す。以下同じ。）が接続され、ＬＥＤ４のカソード側から接地側へ流れる電流を制御するためのトランジスタ５（トランジスタ５a、トランジスタ５cを指す。以下同じ）が接続される。また、ＬＥＤ４のアノード側には補償電圧を印加するための電源６（電源６a、電源６bを指す。以下同じ。）が接続されている。抵抗７（抵抗７a、抵抗７bを指す。以下同じ。）は、電源６と、ＬＥＤ４のアノード間に接続される。これは、ＦＥＴ３のドレインから各ＬＥＤ４までの配線が長く、電磁的に浮いた状態となるため、抵抗７を接続することで配線のインピーダンスを下げて安定化させるためである。ＬＥＤ４のカソード側とトランジスタ５のコレクタ側との間に接続される抵抗８は、ＦＥＴ３及びトランジスタ５がオンのときに、ＬＥＤ４に過電流が流れることを防止するのために接続する。抵抗８の代わりに定電流回路を挿入してもよい。
ＦＥＴ３及びトランジスタ５は制御回路（図示せず）により制御される。制御回路は予め定めた手順に従い、ＦＥＴ３又はトランジスタ５を時分割により、ＬＥＤの発光をオン又はオフさせ、ディスプレイ上に映像を提供する。
【００１６】
次に、ＬＥＤ４a発光時におけるＬＥＤ４b及びＬＥＤ４dにかかる電圧を説明する。
まず、ＬＥＤ４aを発光させる場合の回路操作は次のとおりである。制御回路によりＦＥＴ３a及びトランジスタ５aをオンさせる。これにより、電源２、ＦＥＴ３a、ＬＥＤ４a、抵抗８、トランジスタ５aを経て接地に電流が流れ、ＬＥＤ４aが発光する。
このとき、接続点Ａ１には電源２の供給電圧５ＶからＬＥＤ４aの動作電圧を差し引いた電圧がかかる。ＬＥＤ４aに青色ＬＥＤを使用した場合、その動作電圧は約３．５Ｖであるため、接続点Ａ１に１．５Ｖが印加される。これは、ＬＥＤ４bに対して逆電圧となり負担をかけることとなる。しかし、電源６ｂから２．５ＶをＬＥＤ４bに対して順方向電圧として印加しているため、ＬＥＤ４bにかかる逆電圧は１．５Ｖ−２．５Ｖ＝−１Ｖとなり、ＬＥＤ４aにかかる逆電圧は解消される。また、ＬＥＤ４bにかける順方向電圧はＬＥＤ動作電圧３．５Ｖ以下であるため、発光しない。
一方、ＬＥＤ４cが発光していない場合、すなわち、ＦＥＴ３aがオンで、トランジスタ５cがオフの場合のＬＥＤ４dにかかる電圧は以下の通りである。トランジスタ５cがオフであり、ＬＥＤ４cは発光していないため、電源２の供給電圧５Ｖが接続点Ａ２に直接印加される。すなわち、接続点Ａ２からＬＥＤ４d側には逆電圧として５Ｖが印加される。ここで、電源６bから２．５Ｖが順方向電圧としてＬＥＤ４dに印加されているため、逆電圧は５Ｖ−２．５Ｖ＝２．５Ｖに緩和される。
【００１７】
以上のように、ＬＥＤに対して動作電圧以下の順方向電圧を印加することにより、逆電圧が解消又は緩和される。すなわち、第１のＬＥＤが発光している場合の第２のＬＥＤにかかる逆電圧は解消されることとなる。また、第１のＬＥＤが発光していない場合で第２のＬＥＤにかかる逆電圧は緩和されることとなる。
よって、ＬＥＤの劣化を防止することができ、長寿命化を図ることができる。
【実施例２】
【００１８】
図２に本発明の他の実施例であるディスプレイに使用されるＬＥＤ駆動回路１０の回路図を示す。実施例１と同一の要素には同一の符号を付し、その説明を省略する。
補償電圧を供給するための電源として、既存の電源２を抵抗１２、抵抗１３により分圧し、その電圧をオペアンプ１１aを用いてＬＥＤ４aに供給することとした。これにより、既存の電源２を流用してＬＥＤ４aに補償電圧を供給することができる。オペアンプ１１aを使用することで低出力インピーダンスの電圧源として電圧を供給することができ、ＦＥＴ３のドレインから各ＬＥＤ４までの配線の電磁的に浮いた状態を、抵抗７とともに配線のインピーダンスを下げて安定化させることができる。
【００１９】
実施例１と同様に、ＬＥＤ駆動回路１０においても、他のＬＥＤへの逆電圧を緩和又は解消することができる。よって、ＬＥＤの劣化を防止することができ、長寿命化を図ることができる。さらに、実施例２では既存の電源２を流用できるため、別途、補償電圧を供給する電源を用意する必要がなくなる。
【実施例３】
【００２０】
図３に本発明の他の実施例であるディスプレイに使用されるＬＥＤ駆動回路１００の回路図を示す。実施例１と同一の要素には同一の符号を付し、その説明を省略する。
接地側ドライブ回路に接続されるＬＥＤを３つにして発光を制御する構成とする。新たに、電源２と接続点Ａxとの間にＬＥＤ４xと、ＬＥＤ４xを制御するためのＦＥＴ３xとを接続する。また、ＬＥＤ４xに順方向電圧を印加するための電源６xを接続する。
【００２１】
ＬＥＤ駆動回路１００において、少なくとも一つの電源側のドライブ回路がオンの場合は、他のオフのドライブ回路に接続されるＬＥＤに順方向電圧が印加され、そのＬＥＤに印加される逆電圧を緩和する。
すなわち、例えば、ＦＥＴ３aがオン、トランジスタ５aがオンでＬＥＤ４aが発光し、ＦＥＴ３b及びＦＥＴ３xがオフの場合は、ＬＥＤ４b、ＬＥＤ４xに対して逆方向の電圧が印加される。そこで、ＬＥＤ４b、ＬＥＤ４xに電源６b及び電源６xよりＬＥＤの動作電圧よりも低い順方向電圧を印加し、逆電圧を緩和する。
ＦＥＴ３aがオン、トランジスタ５aがオフでＬＥＤ４aが発光しないで、ＦＥＴ３b及びＦＥＴ３xがオフの場合も、ＬＥＤ４b、ＬＥＤ４xに対して逆電圧が印加される。そこで、ＬＥＤ４b、ＬＥＤ４xに電源６b及び電源６xよりＬＥＤの動作電圧よりも低い順方向電圧を印加し、逆電圧を緩和する。
【００２２】
また、複数のＬＥＤが発光する場合、例えば、ＦＥＴ３a及びＦＥＴ３bがオン、トランジスタ５aがオンでＬＥＤ４a及びＬＥＤ４bが発光し、ＦＥＴ３xがオフの場合は、ＬＥＤ４xには電源６xよりＬＥＤ４xの動作電圧よりも低い順方向電圧を印加し、逆電圧を緩和する。
ＦＥＴ３a及びＦＥＴ３bがオン、トランジスタ５aがオフでＬＥＤ４a及びＬＥＤ４bが発光しないで、ＦＥＴ３xがオフの場合も、ＬＥＤ４xには電源６xよりＬＥＤ４xの動作電圧よりも低い順方向電圧を印加し、逆電圧を緩和する。
【００２３】
以上、実施例１と同様に、接地側ドライブ回路に接続されるＬＥＤを３つにしても、オフのドライブ回路に接続されるＬＥＤに順方向電圧を印加することで、逆電圧を緩和させることができる。
なお、ＬＥＤ駆動回路１００を用いることで、青色ＬＥＤ、緑色ＬＥＤ、赤色ＬＥＤの３色によるＬＥＤ駆動回路を実現できる。この場合、青色ＬＥＤ及び緑色ＬＥＤの電源電圧を５Ｖとし、赤色ＬＥＤの電源電圧を４Ｖとして、それぞれ別電源の回路としてもよい。
【００２４】
この発明は上記発明の実施の態様及び実施例の説明に何ら限定されるものではない。特許請求の範囲を逸脱せず、当業者が容易に想到できる範囲で種々の変形態様もこの発明に含まれる。
【図面の簡単な説明】
【００２５】
【図１】図１は実施例１で使用されるＬＥＤ駆動回路である。
【図２】図２は実施例２で使用されるＬＥＤ駆動回路である。
【図３】図３は実施例３で使用されるＬＥＤ駆動回路である。
【図４】図４は従来のＬＥＤ駆動回路である。
【符号の説明】
【００２６】
１  １０  １００  ２００  ＬＥＤ駆動回路
２  ６  電源
３a  ３b  ３x  ＦＥＴ
４a  ４b  ４x  ＬＥＤ
５a  ５c  トランジスタ
【図１】
2006258959.tif 000003
【図２】
2006258959.tif 000004
【図３】
2006258959.tif 000005
【図４】
2006258959.tif 000006